(57)【要約】【課題】  簡単な構造で故障も少なくかつ装飾効果を高めた遊技機用風車を提供すること。【解決手段】  遊技釘３３０を中心として回転可能に遊技盤に取付けられる遊技機用風車１０において、羽根板３３として、衝撃が与えられると発電する圧電バイモルフ４０と発光ダイオード５０とを電気的に接続し、これらを樹脂で固めて板状に形成した発光部材を用いる。【選択図】図１
2006167005.tif 000002
【特許請求の範囲】
【請求項１】
遊技釘を挿通可能な貫通孔が形成された筒部と、
この筒部の一端部からフランジ状に張り出す装飾回転部と、
これら筒部および装飾回転部と一体に形成され、前記筒部の外周面に放射状に設けられた複数の羽根板と、
前記筒部の貫通孔に前記遊技釘を挿通した状態で、前記遊技釘を中心として回転可能に遊技盤に取付けられる遊技機用風車において、
衝撃が与えられると発電する圧電バイモルフ及び通電することにより発光する発光体を電気的に接続して板状に形成した発光部材を前記羽根板として用いたことを特徴とする遊技機用風車。
【請求項２】
前記発光体が前記装飾回転部の裏面側に位置するように前記発光部材が前記筒部および前記装飾回転部に取り付けられ、前記発光体が発光したときにその発光体の光が前記装飾回転部の表面側から可視可能とされていることを特徴とする請求項１に記載の遊技機用風車。
【請求項３】
前記装飾回転部の表面側に装飾板が取り付けられるとともに、前記装飾板に前記発光体の光を視認可能な窓部が形成されていることを特徴とする請求項１または２に記載の遊技機用風車。
【請求項４】
前記装飾回転部を透明材料で形成することを特徴とする請求項１または２に記載の遊技機用風車。
【発明の詳細な説明】
【技術分野】
【０００１】
本発明は、遊技機用風車に関する。
【背景技術】
【０００２】
パチンコ遊技機は、遊技盤の遊技領域に遊技球を発射する発射装置を備えている。そして遊技者は発射装置から遊技球を発射して、遊技領域に配置された入賞口および始動口等に遊技球を入賞させる。入賞すると所定数の遊技球が遊技者に賞球されてまたは払い出されて遊技を継続することができる。
【０００３】
発射装置には遊技者が操作する操作ノブであるハンドルが設けられている。そして、通常、このハンドルを操作して、遊技者は、遊技球が入賞するように前記発射装置による遊技球発射速度を調節する。
【０００４】
このような遊技機では、遊技領域における遊技球の通路に複数の釘が設けられていると共に遊技機用風車が配置されており、遊技領域内に発射された遊技球の落下路を複雑に変化させて興趣を高めている。
【０００５】
図７は、従来の遊技機用風車３００の構成を示す斜視図である。
遊技機用風車３００は、周知のごとく遊技釘３３０を挿通可能な貫通孔３１４を有する筒部３１２（図面では一部のみ示す）と、この筒部３１２の一端部からフランジ状に張り出す装飾回転部３２０と、これら筒部３１２および装飾回転部３２０と一体に形成され、筒部３１２の外周面に放射状に設けられた複数（例えば３枚。但し図面では２枚のみ示す。）の羽根板３１０とを有する。
【０００６】
装飾回転部３２０は、その片面（または前面）３２０ａに装飾３２２が施された円盤体である。
装飾３２２は、着色を施したり、装飾用シールや装飾板（共に図示せず）を張着することで形成される。
【０００７】
筒部３１２および装飾回転部３２０は、例えばプラスチックモールドにより一体成型されているが、これらを別々に形成しておきそれらを組み合わせたものでもよい。
【０００８】
この遊技機用風車３００は、貫通孔３１４に遊技釘３３０を挿通させ、その状態で遊技釘３３０を図示しない遊技盤に対して略直角に打付けて取付けられる。
【０００９】
遊技機用風車３００の設置の際には、装飾回転部３２０の装飾面が遊技者側（遊技機前面）になるよう配置される。
そして、この遊技機用風車３００は、これに外力が加わると、遊技釘３３０を中心に回転する。
【００１０】
また、視覚的な効果を一層高めるため、装飾に配線を伴う電飾装置を備えた、例えば特許文献１に開示のものがある。
【特許文献１】特開平１１−２３５４２４
【発明の開示】
【発明が解決しようとする課題】
【００１１】
ところで、電飾装置を備える遊技機用風車では、一般的には専用基板の使用で配線が簡
素化されているものの、風車の回転で前記配線が絡まって断線したり、構造の複雑化に起因して故障し易かった。よって、点検作業および保守作業も煩雑となる傾向にあった。そこで構造が比較的簡素でありながら装飾効果が大きく、故障が少ない遊技用風車が望まれる。
【００１２】
本発明は、このような事情に鑑みてなされたものであり、簡単な構造で故障も少なくかつ装飾効果を高めた遊技機用風車を提供することを課題とする。
【課題を解決するための手段】
【００１３】
本発明の遊技機用風車は、遊技釘を挿通可能な貫通孔が形成された筒部と、この筒部の一端部からフランジ状に張り出す装飾回転部と、これら筒部および装飾回転部と一体に形成され、前記筒部の外周面に放射状に設けられた複数の羽根板と、前記筒部の貫通孔に前記遊技釘を挿通した状態で、前記遊技釘を中心として回転可能に遊技盤に取付けられる遊技機用風車において、衝撃が与えられると発電する圧電バイモルフ及び通電することにより発光する発光体を電気的に接続して板状に形成した発光部材を前記羽根板として用いたことを特徴とする。
【００１４】
ここで圧電バイモルフについて簡単に説明すると、２枚のセラミックスを貼り合わせ、それぞれのセラミックスに外力を与えることで起電力が得られる構造体をバイモルフといい、バイモルフに上から力を加えると、上側のセラミックスは伸び、下側のセラミックスは縮む変化を生じ、この時一定方向の起電力が発生する。しかし、外力が加えられてセラミックスが押されたままの状態では２枚のセラミックスはそれぞれ伸びたまま、または縮んだままであり、形状として変化しないので、起電力は発生しない。
【００１５】
このようにバイモルフに外力が加わっている状態から外力を解くと、２枚のセラミックスは元に戻ろうと変位を生じ、そのため起電力が発生する。しかしながら、この時はバイモルフに外力が加わっている状態とは反対に上側のセラミックスは縮み、下側のセラミックスは伸びる変化を生じるので、起電力の向きは逆向きになる。
【００１６】
このような力のかけ方により、圧電バイモルフと発光ダイオードとを電気的に接続すれば発光ダイオードは、通電されるようになり、前記起電力の向きにより交互に点滅するようになる。
【００１７】
圧電バイモルフは、衝撃に強く衝撃を与えると発電し、衝撃が強いほど明るく光るという特性を有する。また、青・赤・緑・白の発光ダイオードを用いることで幻想的な色調にすることができる。よってパチンコ球等の遊技球を用いた遊技機の遊技機用風車へ適用するの好ましい。
【００１８】
本発明によれば、遊技中、自由落下してくる遊技球が遊技機用風車に衝突した際に発生する固有振動を利用して、自ら発光する遊技機用風車を提供することができる。
また、発光部材は衝撃に強い圧電バイモルフを利用するものであるから、遊技実行中に常に遊技球が当たって衝撃を受ける羽根板として好適である。
【発明の効果】
【００１９】
本発明の遊技機用風車は、その構成部材の羽根板に、圧電バイモルフ及び発光ダイオードを接続して板状に成形しただけの簡単な構造の発光部材を羽根板部材として使用しているから、配線を伴うこれまで電飾装置を備えたこれまでの遊技用風車と比較して故障し難くなる。また、構造が簡単であるから点検作業および保守作業も容易になる。
【発明を実施するための最良の形態】
【００２０】
図１〜図６を参照しながら、本発明による遊技機用風車１０の好適な実施形態の構成を説明する。
【００２１】
この実施の形態が従来技術で説明した遊技機用風車３００（図７参照）と異なる主たる点は、羽根板として、衝撃が与えられると発電する圧電バイモルフ及び発光ダイオード（発光体）をつなぎ両者を樹脂で固めて板状にした発光部材を用い、発光ダイオードの発光状態を装飾回転部の側で視認できるようにした点にある。
【００２２】
よって、従来の遊技機用風車と異なる箇所のみ説明することとし、同一部分には同一符号を付して説明を省略する。
【００２３】
羽根板３３には、衝撃を与えると発電する圧電バイモルフ４０と複数の発光ダイオード５０とを電気的に接続し、両者を樹脂で固めて板状に形成した発光部材を用いている（図４，図５および図１参照）。なお、この実施例では圧電バイモルフ４０の先端に発光ダイオード５０を２つ並列して設けてある。
【００２４】
また、装飾回転部３２には、発光ダイオード５０が内部に臨む矩形状の窓部３２ａが等間隔で複数（この実施形態では３つ）貫通形成されている。窓部３２ａは、羽根板３３の数に合わせて設けられている。
【００２５】
そして、発光部材である羽根板３３の発光ダイオード５０が、装飾回転部３２の装飾面３２ｂに対応されかつ窓部３２ａの内部に臨むように羽根板３３を円筒体３１２の外周に取り付ける（図１参照）。換言すれば、装飾回転部３２の裏面側に位置するように発光部材である羽根板３３が筒部３１２および装飾回転部３２に取り付けられ、発光ダイオード５０が発光したときにその発光が装飾回転部３２の表面側から視認できるようにされている。よって発光ダイオード５０が発光することで装飾効果を奏する。
【００２６】
羽根板３３は、適当な接着剤を使用して円筒体３１２の表面に羽根板３３を接着しても良いし、円筒体３１２の所定位置に取付穴（図示せず）を形成し、当該取付穴に羽根板３３の側縁を挿入して接着または熱溶着しても良い。
【００２７】
このような構成の遊技機用風車１０は、遊技機用風車１０が遊技盤に取り付られて、遊技中に遊技球４００（図３参照）が羽根板３３に衝突すると回転する。
【００２８】
羽根板３３を構成する圧電バイモルフ４０は、衝撃に強く衝撃を与えると発電し、衝撃が強いほど明るく光るという特性を有する。また、青・赤・緑・白の発光ダイオードを用いることで幻想的な色調にすることができる。よってパチンコ球等の遊技球を用いた遊技機の遊技機用風車への適用は好適である。
【００２９】
遊技機用風車１０は、圧電バイモルフ４０及び発光ダイオード５０を接続して板状に成形しただけの簡単な構造の発光部材を羽根板部材として使用しているから、配線が不要であり、よって遊技用風車と比較して故障し難くなる。また、構造が簡単であるから点検作業および保守作業も容易になる。
【００３０】
なお、このような遊技機用風車は、パチンコ遊技機等の遊技領域内に複数個選択的に取り付け可能である。
【００３１】
以上、本発明による遊技機用風車の好適な実施形態の構成及び動作を詳述した。しかし、この実施形態は、本発明の単なる例示に過ぎず何ら本発明を限定するものではなく、本発明の要旨を逸脱することなく種々の変形変更が可能である。
【００３２】
例えば、装飾回転部３２の装飾面３２ｂのうち、窓部３２ａの形成されていない箇所に装飾を施してもよい（図６参照）。この場合の装飾にはリング状でかつ装飾面３２ｂに張着可能な装飾板（装飾用シール）３２２ａが適用される。なお、図６の装飾板３２２ａは窓部３２ａに対応する箇所が窓部３２ａの形状に合わせて開口とされているが、装飾板３２２ａが透明材でできたものであれば発光ダイオード５０の光を視認できるので、当該開口は無くてもよい。なお、当該開口は装飾板３２２ａを装飾回転部３２に張着すれば実質上の窓部になるので装飾回転部３２の窓部と同じ符号３２ａを付する。
【００３３】
また、少なくとも装飾回転部３２を透明材料で形成すれば、窓部３２ａを形成しない場合でも、発光ダイオード５０が発光したときにその発光が前記装飾回転部３２を透過するようにできる。
【００３４】
さらに、この実施形態では、羽根板３３の端面に発光ダイオード５０を取り付けて、遊技者側から視認できる場合を説明したが、羽根板３３の側縁に発光ダイオード５０を取り付けても良い。このようにすることで、これまで発光しなかった箇所から発光があるため意外性がある。ただし、この場合、発光ダイオード自体に遊技球が当たらないように発光ダイオードをガードする必要がある。
【００３５】
さらにまた、遊技機用風車１０の遊技盤への取り付けは、必ずしも遊技釘を使用する必要はなく、その他の類似取り付け手段でも良い。従って、本明細書中では、「遊技釘」とは、このような取付手段の総称であると解するべきである。
【図面の簡単な説明】
【００３６】
【図１】本発明に係る遊技機用風車の好適な実施形態の構成を示す斜視図である。
【図２】図１の正面図である。
【図３】図１の側面図である。
【図４】発光部材の正面図である。
【図５】発光部材の側面図である。
【図６】変形例の一例を示す斜視図である。
【図７】従来の遊技機用風車の斜視図である。
【符号の説明】
【００３７】
１０ 遊技機用風車
３２ 装飾回転部
３２ａ 窓部
３２ｂ 装飾面
３３ 羽根板
４０ 圧電バイモルフ
５０ 発光ダイオード
３００ 遊技機用風車
３１０ 羽根板
３１２ 円筒体
３１２ 筒部
３１４ 貫通孔
３２０ 装飾回転部
３２２  装飾
３２２ａ 装飾シール（装飾板）
３３０ 遊技釘
４００ 遊技球
【図１】
2006167005.tif 000003
【図２】
2006167005.tif 000004
【図３】
2006167005.tif 000005
【図４】
2006167005.tif 000006
【図５】
2006167005.tif 000007
【図６】
2006167005.tif 000008
【図７】
2006167005.tif 000009